(57)【要約】【課題】乳幼児の衣服や外見・保護者の好みに応じて容易に柄を変更できるおしゃぶりを提供する。【解決手段】付け替えシート８の挿通孔９に持ち手部２を絵が描かれていない側から挿通し、鍔部３の呼吸孔７と付け替えシート８の呼吸孔１０とが夫々重なるように付け替えシート８を合わせる。次にその状態で付け替えシート８を基部５に設けられた押止突起１１及び呼吸孔７の外周に沿って設けられた押止突起１３を越えるまで更に押し込む。各押止突起１１及び１３によって、付け替えシート８は鍔部３の表面に押し止めされ定着する。また付け替えシート８を取り外す際には、鍔部３から離れる方向に付け替えシート８を引っ張れば、容易に取り外すことができる。【選択図】  図２
2005000313.tif 000002
【特許請求の範囲】
【請求項１】
持ち手部と、該持ち手部の基部に取り付けられた乳首部と、前記基部と乳首部との間に設けられた鍔部とを備えたおしゃぶりであって、
前記鍔部の持ち手部側の表面に、装着状態で前記表面の一部又は全部を覆う付け替え部を着脱可能に設けたことを特徴とするおしゃぶり。
【請求項２】
前記付け替え部を前記鍔部と同様の形状を有するシート状体に形成したことを特徴とする請求項１に記載のおしゃぶり。
【請求項３】
前記持ち手部の基部に押止突起を設け、前記付け替え部を該押止突起により前記鍔部の表面に定着させたことを特徴とする請求項１または２に記載のおしゃぶり。
【請求項４】
前記鍔部及び付け替え部には呼吸孔がそれぞれ穿設されており、鍔部側の呼吸孔の外周に沿って押止壁を周設するとともに、該押止壁の頂端部に沿って押止突起を設け、前記付け替え部を前記押止壁と呼吸孔との嵌合により前記鍔部の表面に定着させたことを特徴とする請求項１〜３のいずれかに記載のおしゃぶり。
【発明の詳細な説明】
【０００１】
【発明の属する技術分野】
本発明は、乳幼児が使用するおしゃぶりに関するものである。
【０００２】
【従来の技術】
従来より、乳幼児が口の中に入れて使用する玩具であるおしゃぶりは広く知られている。例えば特許文献１に開示されているおしゃぶりのように、乳幼児がより好適に使用することができることを目的としたものがある。
【０００３】
【特許文献１】
特開２００１−２７６１８４号公報
【０００４】
【発明が解決しようとする課題】
しかしながら、特許文献１に開示されているように、乳幼児が口の中に入れる部分に関して技術の改良をなされたおしゃぶりは多く見られるものの、持ち手が備えられた面に関しては、従来よりほとんど手を加えられていないのが現状である。つまり、従来よりおしゃぶりの持ち手が備えられた側の面は、弾性部材により成形された薄い鍔部の表面に、絵や模様等が直接描かれたもの或いはシール等を貼着したものしか見当たらない。
このように従来のおしゃぶりには絵や模様等が直接描かれたり、シール等が貼着されたりしているため、使用するおしゃぶりの柄を乳幼児の衣服に合わせて変える等といったことは全くできなかった。したがって乳幼児の保護者にしてみると、おしゃぶりは変化に乏しく面白みのない玩具であった。
【０００５】
そこで、本発明は、乳幼児の衣服や外見・保護者の好みに応じて容易に柄を変更できるおしゃぶりを提供するものである。
【０００６】
【課題を解決するための手段】
上記目的を達成するために、請求項１に記載の発明は、持ち手部と、該持ち手部の基部に取り付けられた乳首部と、前記基部と乳首部との間に設けられた鍔部とを備えたおしゃぶりであって、前記鍔部の持ち手部側の表面に、装着状態で前記表面の一部又は全部を覆う付け替え部を着脱可能に設けたことを特徴とするものである。
請求項２に記載の発明は、請求項１の目的に加えて、おしゃぶりの外観をより変化させることができるようにするために、前記付け替え部を前記鍔部と同様の形状を有するシート状体に形成したことを特徴とするものである。
請求項３に記載の発明は、請求項１または２の目的に加えて、付け替え部を鍔部表面に容易に定着させるために、前記持ち手部の基部に押止突起を設け、前記付け替え部を該押止突起により前記鍔部の表面に定着させたことを特徴とするものである。
請求項４に記載の発明は、請求項１〜３の目的に加えて、付け替え部を鍔部表面に容易に定着することができ、且つ付け替え部のズレを防止するために、前記鍔部及び付け替え部には呼吸孔がそれぞれ穿設されており、鍔部側の呼吸孔の外周に沿って押止壁を周設するとともに、該押止壁の頂端部に沿って押止突起を設け、前記付け替え部を前記押止壁と呼吸孔との嵌合により前記鍔部の表面に定着させたことを特徴とするものである。
【０００７】
【発明の実施の形態】
以下、本発明の実施の一形態である突起型付け替えおしゃぶり１を図面に基づいて説明する。
図１は突起型付け替えおしゃぶり１の正面図であり、図２（ａ）及び（ｂ）は該突起型付け替えおしゃぶり１の付け替え方法を示す説明図である。
【０００８】
突起型付け替えおしゃぶり１は熱湯等によって加熱殺菌されても劣化しにくい合成樹脂製であって、例えばポリプロピレン製の持ち手部２及び鍔部３と、例えばシリコーンゴム製の乳首部４とからなっている。持ち手部２は、円柱形状の基部５に略リング状の把持部６が取り付けられたものである。また、乳首部４は把持部６と反対方向へ突出するように基部５に取り付けられている。乳首部４は乳首状に形成されており、乳幼児が口に含みやすい形状となっている。
【０００９】
鍔部３は、基部５と乳首部４との境界面に、薄い鍔状であって、正面から見ると下側が湾曲したＤ字形に形成されている。鍔部３には、正面から見て持ち手部２の左右両側に、該おしゃぶり１を使用する乳幼児が楽に呼吸することができるように、円形の呼吸孔７、７が穿設されている。
【００１０】
鍔部３の表面（持ち手部２側の面）には付け替え部である付け替えシート８が定着されている。付け替えシート８は弾性を有するポリプロピレンにより成形されたものであって、図３に示すように鍔部３と同じ形状の薄いシート状体である。付け替えシート８の持ち手部２と対応した位置には、持ち手部２が挿通可能な挿通孔９が設けられており、各呼吸孔７と対応する位置には呼吸孔７と同じ形状の呼吸孔１０、１０が設けられている。
また、付け替えシート８の表面（鍔部３の表面とは接しない側の面）には絵やキャラクター・模様等が描かれている。
【００１１】
基部５の側面であって、鍔部３の表面から付け替えシート８の厚さと略同じとなる位置には、押止突起１１が基部５の側面に沿って周設されている。また、鍔部３の表面であって、各呼吸孔７の円周に沿って押止壁１２、１２が立設されている。押止壁１２、１２の高さは付け替えシート８の厚さと略同じとなっており、各押止壁１２の頂端部にも押止突起１３が押止壁１２に沿って周設されている。
【００１２】
ここで、図２にしたがって、付け替えシート８の鍔部３への取り付け方法を説明する。付け替えシート８の挿通孔９に持ち手部２を絵が描かれていない側から挿通し、鍔部３の呼吸孔７と付け替えシート８の呼吸孔１０とが夫々重なるように付け替えシート８を合わせる。次にその状態で付け替えシート８を各押止突起１１及び１３を越えるまで更に押し込む。すると、各押止突起１１及び１３によって、付け替えシート８は鍔部３の表面に押し止めされ定着する。また付け替えシート８を取り外す際には、鍔部３から離れる方向に付け替えシート８を引っ張れば、容易に取り外すことができる。
【００１３】
上述の如く構成されたおしゃぶりを用いると、付け替えシートを押し込むだけで容易に鍔部に定着させることができる。また付け替えシートは各押止突起により押し止めされているため、自然に外れることはない。更に、少し力を加えるだけで簡単に取り外すことができるため、付け替えシートを別の色や柄が描かれた付け替えシートに簡単に付け替えることができる。加えて、基部の押止突起と呼吸孔の押止突起との３箇所で付け替え部を押し止めするため、付け替えシートが鍔部表面でズレることを防ぐことができる。
したがって、乳幼児の衣服等に合わせた色や柄のおしゃぶりとすることができ、保護者も柄の選択等を楽しむことができる。
【００１４】
なお、本発明にかかるおしゃぶりの構成は、上記した実施例の態様に何ら限定されるものではなく、本発明の趣旨を逸脱しない範囲で適宜変更することができる。
例えば、おしゃぶりの鍔部、乳首部、及び把持部の形状はどのような形状であってもよい。鍔部は下方が湾曲したＤ字形でなく、円形・楕円形・長方形等であってもよく、乳首部の形状も特許文献１に開示されているような複雑な形状でも何ら問題はない。把持部についてもリング状でなく、Ｕ字形であってもよい。
また、鍔部に設けられる呼吸孔の形状・数も適宜変更可能であり、鍔部に設けられる呼吸孔の形状・数と付け替えシートに設けられる呼吸孔の形状・数とが一致していれば、例え円形でなくとも、半月形・三日月形でも何ら問題はない。さらに、図８に示されているおしゃぶり１のように、持ち手部２の基部５に設けられた押止突起１１で付け替えシートを定着できるのであれば、呼吸孔７に沿って押止壁及び押止突起は設けなくともよい。
【００１５】
更に、おしゃぶりは持ち手部と、鍔部と、付け替えシートとがポリプロピレン製、乳首部がシリコーンゴム製としたが、乳幼児が安全に口の中に入れられるもので、加熱殺菌処理されても劣化しにくいものであれば、例えばポリカーボネート等、適宜変更可能であるし、付け替えシートは紙製でもよい。
加えて、付け替えシートに描かれる絵や模様等はチェック柄・ヒョウ柄等様々な種類のものが考えられるが、直接描かれておらず、シールが付け替えシート表面に貼着されたものであってもよい。また、付け替えシートが立体的な隆起等を備えたものであってもよいし、付け替え部をシート状とせずに立体的な成形物としても何ら問題はない。
【００１６】
また、付け替えシートは押止突起により定着されるものでなく、図４に示されているもののように、持ち手部４１の基部４２に係合溝４３を設け、該係合溝４３に付け替えシート４４を係合させる係合溝型付け替えおしゃぶり４０としてもよい。
更に、図５に示されているように、基部５２にネジ溝５３を設け、付け替えシート５４を該ネジ溝５３に螺着する螺着型付け替えおしゃぶり５０としてもよい。
【００１７】
図６（ａ）に示されているように、鍔部６１の左右両側端部及び下側端部にバネにより挟持固定可能なクリップ６３、６３・・を設け、各クリップ６３により付け替えシート６４を定着させるクリップ型付け替えおしゃぶり６０としてもよい。該クリップの数は左右両側の２個のみとしてもよいし、３個以上としてもよい。また、図６（ｂ）に示されているように断面コ字状の受け部６５としてもよい。
また、付け替えシートを面ファスナや押止型ボタン等で固定するとしてもよい。
【００１８】
図７に示されている挟持型付け替えおしゃぶり７０は、持ち手部７１の基部７２が支軸７３を軸として開閉可能に軸着されている。基部７２は係止突起７５と係止孔７６とが係合することにより閉じることができる。付け替えシート７４には持ち手部７１を挿通させる挿通孔の下部に、係止孔７６と対応した位置に小さな挿入孔７７が設けられている。このように構成された挟持型おしゃぶり７０は、基部７２を開けた状態で付け替えシート７４を、係止孔７６と挿入孔７７とが重なるように鍔部７８上に載置した後、基部７２を閉じて係止突起７５と係止孔７６とを係合させれば、付け替えシート７４を定着することができる。
【００１９】
【発明の効果】
本発明によれば、乳幼児の衣服等に合わせた柄のおしゃぶりとすることができ、保護者も柄の選択等を楽しむことができる。
特に、請求項３に記載の発明とすると、付け替え部を押し込むだけで容易に鍔部に定着させることができる。また付け替え部は、持ち手部の基部に設けられた押止突起により押し止めされているため、自然に外れることはない。更に、少し力を加えるだけで簡単に取り外すことができるため、付け替え部を別の柄が描かれた付け替え部に簡単に付け替えることができる。加えて、請求項４に記載の発明とすると、基部の押止突起と呼吸孔の押止突起とで付け替え部を押し止めするため、付け替え部が鍔部表面でズレることを防ぐことができる。
【図面の簡単な説明】
【図１】突起型付け替えおしゃぶりの正面図である。
【図２】（ａ）突起型付け替えおしゃぶりの付け替え方法を示す説明図である。
（ｂ）突起型付け替えおしゃぶりの付け替え方法を示す説明図である。
【図３】付け替えシートの斜視図である。
【図４】係合溝型付け替えおしゃぶりの基部を示す拡大断面図である。
【図５】螺着型付け替えおしゃぶりの基部を示す拡大断面図である。
【図６】（ａ）クリップ型付け替えおしゃぶりの側面図である。
（ｂ）断面コ字状の受け部を有するおしゃぶりの側面図である。
【図７】挟持型付け替えおしゃぶりの基部を示す拡大断面図である。
【図８】突起型付け替えおしゃぶりの説明図である。
【符号の説明】
１・・突起型付け替えおしゃぶり、２・・持ち手部、３・・鍔部、４・・乳首部、５・・基部、６・・把持部、７・・呼吸孔、８・・付け替えシート、９・・挿通孔、１０・・呼吸孔、１１・・押止突起、１２・・押止壁、１３・・押止突起、４０・・係合溝型付け替えおしゃぶり、４１・・持ち手部、４２・・基部、４３・・係合溝、４４・・付け替えシート、５０・・螺着型付け替えおしゃぶり、５２・・基部、５３・・ネジ溝、５４・・付け替えシート、６０・・クリップ型付け替えおしゃぶり、６１・・鍔部、６３・・クリップ、６４・・付け替えシート、６５・・受け部、７０・・挟持型付け替えおしゃぶり、７１・・持ち手部、７２・・基部、７３・・支軸、７４・・付け替えシート、７５・・係止突起、７６・・係止孔、７７・・挿入孔、７８・・鍔部。
【図１】
2005000313.tif 000003
【図２】
2005000313.tif 000004
【図３】
2005000313.tif 000005
【図４】
2005000313.tif 000006
【図５】
2005000313.tif 000007
【図６】
2005000313.tif 000008
【図７】
2005000313.tif 000009
【図８】
2005000313.tif 000010